(57)【要約】    【課題】  木造軸組工法の住宅において、大空間領域10を確保しつつ、構造部分の強度を十分に保ち、しかも、住宅の外周から筋交いなどを極力減らす。これにより、住宅の外壁を、主として準耐力壁120及び非耐力壁130で構成する。そして、スケルトン・インフィル（ＳＩ）化と高気密・高断熱化とを両立させる。    【解決手段】  住宅は、大空間領域10と、大空間領域10に隣接して設けた隣接領域20とを有する。大空間領域10の隣接領域20側の端縁を第１端縁30とし、第１端縁30に沿った方向をＸ軸方向とし、Ｘ軸方向と直交する方向をＹ軸方向とする。第１端縁30上の所定位置に、Ｘ軸方向に沿った耐力壁110を、住宅の内壁として設ける。隣接領域20内の所定位置に、Ｙ軸方向に沿った耐力壁110を、住宅の内壁として設ける。    【選択図】  図２
2005307515.tif 000002
【特許請求の範囲】
【請求項１】
大空間領域と、大空間領域に隣接して設けた隣接領域とを有し、
大空間領域の隣接領域側の端縁を第１端縁とし、
第１端縁に沿った方向をＸ軸方向とし、
Ｘ軸方向と直交する方向をＹ軸方向とし、
第１端縁上の所定位置には、Ｘ軸方向に沿った耐力壁が、住宅の内壁として設けられ、
隣接領域内の所定位置には、Ｙ軸方向に沿った耐力壁が、住宅の内壁として設けられていることを特徴とする住宅。
【請求項２】
大空間領域の第１端縁と対向する端縁を第２端縁とし、
第１端縁に沿って設けた第１梁と、
第２端縁に沿って設けた第２梁と、
第１梁と第２梁との間に架け渡されている複数の第３梁とを備え、
第１梁の下に、Ｘ軸方向に沿った耐力壁が設けられていることを特徴とする請求項１記載の住宅。
【請求項３】
第３梁は、その両端付近を第１梁及び第２梁の上にそれぞれ載せられ、第１梁及び第２梁の上を跨ぐようにして、第１梁と第２梁との間に架け渡されていることを特徴とする請求項２記載の住宅。
【請求項４】
第１梁は、第１端縁上に設けた複数の柱で支持されているとともに、第１梁の長手方向の中間位置は、第１梁よりも外径が大きく、かつ、第１梁を支持する複数の柱の中で外径が最も大きい大柱で支持されていることを特徴とする請求項２又は３記載の住宅。
【請求項５】
隣接領域の大空間領域とは反対側の端縁に沿って設けた第４梁と、
第１梁と第４梁との間に架け渡されている複数の第５梁とを備え、
複数の第５梁のうちの少なくとも１つは、大柱に固定され、
大柱に固定された第５梁の下に、Ｙ軸方向に沿った耐力壁が設けられていることを特徴とする請求項４記載の住宅。
【請求項６】
第１梁及び第２梁は、通常梁が設けられる位置から、第１梁及び第２梁の高さの分だけ低い位置に下げて設けられていることを特徴とする請求項３、４又は５記載の住宅。
【請求項７】
大空間領域の天井は、第１梁及び第２梁の下面より上方、かつ、各第３梁の下面より下方の位置に設けられていることを特徴とする請求項３、４、５又は６記載の住宅。
【請求項８】
隣接領域内には、水まわりが設けられ、
Ｙ軸方向に沿った耐力壁は、水まわりの周囲の壁とされていることを特徴とする請求項１、２、３、４、５、６又は７記載の住宅。
【発明の詳細な説明】
【技術分野】
【０００１】
本発明は、住宅に関し、特に、長期間の耐久性を有し、かつ居住空間の可変性を有し、かつ高気密・高断熱性を有する、木造軸組工法の住宅に関するものである。
【背景技術】
【０００２】
近年、長期間の耐久性を有しつつ、居住空間の可変性を有する、いわゆるスケルトン・インフィル住宅（ＳＩ住宅）の開発・普及が求められている。
スケルトンは、住宅の柱や梁などの構造部分を意味し、インフィルは、住宅の間取りや内装などを意味する。そして、ＳＩ住宅は、スケルトンとインフィルとを分離した構成とし、スケルトンを高強度に構築して長期間の耐久性を有するようにしつつ、間取りや内装などの可変性を有するようにした住宅であり、長く住むことができ、しかも、住人のライフスタイルや家族構成の変化に合わせて、あるいは住人の多様なニーズに応えて、比較的容易にリフォームできるようにしたものである。
【０００３】
また、近年、気密性・断熱性を高め、省エネルギー効果と快適性とを有するようにした、いわゆる高気密・高断熱住宅の開発・普及も求められている。
そして、鉄筋コンクリート造の共同住宅や、いわゆるパネル工法の住宅などでは、ＳＩ化と高気密・高断熱化とを両立させたものが種々開発され、提案され、提供されている（特許文献１参照）。
【特許文献１】特開２００１−１５２５４７号公報
【発明の開示】
【発明が解決しようとする課題】
【０００４】
ところで、ＳＩ化と高気密・高断熱化とを両立させた住宅の開発・普及は、鉄筋コンクリート造の共同住宅や、いわゆるパネル工法の住宅のみならず、木造軸組工法の住宅においても求められている。
しかし、木造軸組住宅において、住宅のＳＩ化を実現すべく、大空間領域を設けつつ、構造部分を高強度に構築しようとすると、例えば、住宅の外周に筋交いを多用するなどの方策が採られる。そうすると、筋交いと断熱材とが干渉して、外壁内に断熱材が入れにくくなり、高気密・高断熱化が図りにくくなってしまう。それでも高気密・高断熱化を図ろうとすると、施工が煩雑になって、建築コストが上昇してしまうのみならず、外壁の厚さが通常よりも大幅に厚くなって、住宅の外観が悪くなってしまう。
【０００５】
一方、木造軸組住宅において、高気密・高断熱化を図ろうとすると、外壁内に断熱材を隙間なく入れることが求められる。ここで、例えば、住宅の外周の筋交いを極力少なくするなどして、住宅の外周の構造部分を簡素化すると、外壁内に断熱材が入れやすくなって、施工性が高まるとともに、住宅の外観がすっきりするものの、住宅の外周の構造部分を簡素化した分、住宅の内部で構造部分を十分に確保しなければならなくなり、これにより、住宅の内部に大空間領域を設けることが困難になる。
つまり、木造軸組住宅において、ＳＩ化と高気密・高断熱化とを両立させることは、きわめて困難なのである。
【０００６】
（請求項１）
そこで、請求項１記載の発明は、大空間領域に隣接して隣接領域を設け、大空間領域と隣接領域との境界線上の所定位置に、この境界線に沿った方向の耐力壁を、住宅の内壁として設けるとともに、隣接領域内の所定位置に、前記境界線と直交する方向の耐力壁を、住宅の内壁として設けることにより、大空間領域を確保しつつ、構造部分の強度を十分に保ち、しかも、住宅の外周から筋交いなどを極力少なくできるようにし、ひいては外壁内に断熱材を入れやすくして、ＳＩ化と高気密・高断熱化とを両立させるようにした住宅を提供することを目的とする。
【０００７】
（請求項２）
また、請求項２記載の発明は、請求項１記載の発明の目的に加え、大空間領域の隣接領域側の端縁に沿って、第１梁を設け、また、前記端縁と対向する端縁に沿って、第２梁を設け、更に、第１梁と第２梁との間にロングスパンの第３梁を架け渡すことにより、大空間領域内に下がり壁ができないようにするとともに、第１梁の下に、境界線に沿った耐力壁を設けることにより、境界線に沿った方向の荷重に対して十分な強度を発揮するようにした住宅を提供することを目的とする。
（請求項３）
また、請求項３記載の発明は、請求項２記載の発明の目的に加え、第３梁について、その両端付近を第１梁及び第２梁の上にそれぞれ載せ、第１梁及び第２梁の上を跨ぐようにして、第１梁と第２梁との間に架け渡すことにより、第３梁の断面欠損をなくして、第３梁がロングスパンに十分耐え得るようにした住宅を提供することを目的とする。
【０００８】
（請求項４）
また、請求項４記載の発明は、請求項２又は３記載の発明の目的に加え、第１端縁上に、外径が大きい大柱を設け、この大柱で第１梁の中間位置を支持することにより、大空間領域をほとんど狭めることなく、第１梁を支持する他の柱にかかる鉛直方向の荷重を軽減させ、更には、住人に安心感を与えるようにした住宅を提供することを目的とする。
（請求項５）
また、請求項５記載の発明は、請求項４記載の発明の目的に加え、隣接領域の大空間領域とは反対側の端縁に沿って、第４梁を設け、また、第１梁と第４梁との間に第５梁を架け渡し、更に、少なくとも１つの第５梁を大柱に固定し、そして、当該第５梁の下に、境界線と直交する方向の耐力壁を設けることにより、境界線と直交する方向の荷重に対して十分な強度を発揮するようにした住宅を提供することを目的とする。
【０００９】
（請求項６）
また、請求項６記載の発明は、請求項３ないし５記載の発明の目的に加え、第１梁及び第２梁を、通常梁が設けられる位置から、第１梁及び第２梁の高さの分だけ下げた位置に設けることにより、大空間領域の上階の床の高さが通常の高さになるようにして、住宅全体の高さが所定の範囲内に収まるようにした住宅を提供することを目的とする。
（請求項７）
また、請求項７記載の発明は、請求項３ないし６記載の発明の目的に加え、第１梁及び第２梁の下面より上方、かつ、各第３梁の下面より下方に、大空間領域の天井を設けることにより、大空間領域の天井と大空間領域の上階の床との間隔を比較的狭くして、住宅の高さ方向の無駄な空間を比較的小さくするとともに、大空間領域の天井の高さを十分に確保するようにした住宅を提供することを目的とする。
【００１０】
（請求項８）
また、請求項８記載の発明は、請求項１ないし７記載の発明の目的に加え、隣接領域内にキッチンや浴室や洗面室やトイレなどの水まわりを設け、境界線と直交する方向の耐力壁を、水まわりの周囲の壁とすることにより、隣接領域内では間取りの変更が難しくなるものの、水まわりの位置を変更することは一般的には少ないので、リフォームの際に不便が生じないようにした住宅を提供することを目的とする。
【課題を解決するための手段】
【００１１】
（請求項１）
請求項１記載の発明は、住宅に係るものであって、大空間領域10と、大空間領域10に隣接して設けた隣接領域20とを有し、大空間領域10の隣接領域20側の端縁を第１端縁30とし、第１端縁30に沿った方向をＸ軸方向とし、Ｘ軸方向と直交する方向をＹ軸方向とし、第１端縁30上の所定位置には、Ｘ軸方向に沿った耐力壁110が、住宅の内壁として設けられ、隣接領域20内の所定位置には、Ｙ軸方向に沿った耐力壁110が、住宅の内壁として設けられていることを特徴とする。
ここで、「大空間領域10」とは、柱50や耐力壁110などの構造部分がない「がらんどう」の大空間を設けることが可能な領域をいう。大空間領域10は、例えば、間仕切り壁を一切設けずに、１つのがらんどうの大空間として使用することができるし、また、間仕切り壁を適宜設けることにより、比較的小さい部屋を複数設けて使用することもできる。
【００１２】
また、「隣接領域20」とは、大空間領域10に隣接して設けられている領域をいう。
大空間領域10も隣接領域20も、住宅の内部に設けられる。つまり、大空間領域10や隣接領域20の外側に、住宅の外壁が設けられる。また、住宅は、大空間領域10及び隣接領域20のみで構成してもよいが、例えば、大空間領域10及び隣接領域20に加えて、大空間領域10及び隣接領域20とは別の別領域を有する構成としてもよい。
また、「第１端縁30」とは、大空間領域10の隣接領域20側の端縁をいう。つまり、第１端縁30は、大空間領域10と隣接領域20との境界線である。
また、「Ｘ軸方向」とは、第１端縁30に沿った方向をいう。つまり、Ｘ軸方向は、上記境界線に沿った方向である。
【００１３】
また、「Ｙ軸方向」とは、Ｘ軸方向と直交する方向をいう。つまり、Ｙ軸方向は、第１端縁30と直交する方向であり、更に言い換えれば、上記境界線と直交する方向である。
例えば、住宅の南側に大空間領域10を設けるとともに、住宅の北側に大空間領域10に隣接して隣接領域20を設けた場合、大空間領域10の北側の端縁が第１端縁30となり、また、東西方向がＸ軸方向となり、また、南北方向がＹ軸方向となる。
そして、本発明では、第１端縁30上の所定位置に、Ｘ軸方向に沿って、住宅の内壁として、耐力壁110を設けるとともに、隣接領域20内の所定位置に、Ｙ軸方向に沿って、住宅の内壁として、耐力壁110を設けている。
【００１４】
また、第１端縁30上のＸ軸方向に沿った耐力壁110の構造も、隣接領域20内のＹ軸方向に沿った耐力壁110の構造も、特に限定されるものではない。例えば、筋交いが入った構造にすることができるし、また、構造用合板140を張った構造にすることもできる。
また、第１端縁30上のＸ軸方向に沿った耐力壁110の倍率も、隣接領域20内のＹ軸方向に沿った耐力壁110の倍率も、特に限定されるものではない。例えば、２．５倍率にすることができるし、また、５．０倍率にすることもできる。もっとも、住宅の外周の構造部分を簡素化するには、第１端縁30上のＸ軸方向に沿った耐力壁110の倍率や、隣接領域20内のＹ軸方向に沿った耐力壁110の倍率を、高倍率にすることが好ましい。
【００１５】
また、第１端縁30上のＸ軸方向に沿った耐力壁110の数も、隣接領域20内のＹ軸方向に沿った耐力壁110の数も、特に限定されるものではない。例えば、それぞれ１つずつにすることができるし、また、それぞれ複数にすることもできる。もっとも、住宅の外周の構造部分を簡素化するには、第１端縁30上のＸ軸方向に沿った耐力壁110の数や、隣接領域20内のＹ軸方向に沿った耐力壁110の数を、複数にすることが好ましい。
また、住宅には、第１端縁30上のＸ軸方向に沿った耐力壁110、及び隣接領域20内のＹ軸方向に沿った耐力壁110以外にも、耐力壁110を設けることもできる。もちろん、住宅の外周に外壁として、耐力壁110を設けることもできる。
【００１６】
このように、大空間領域10に隣接して隣接領域20を設け、大空間領域10と隣接領域20との境界線上の所定位置に、この境界線に沿った方向の耐力壁110を、住宅の内壁として設けるとともに、隣接領域20内の所定位置に、前記境界線と直交する方向の耐力壁110を、住宅の内壁として設けることにより、大空間領域10を確保しつつ、構造部分の強度を十分に保ち、しかも、住宅の外周から筋交いなどを極力少なくすることができる。これにより、住宅の外壁を、主として準耐力壁120及び非耐力壁130で構成することができる。そうすると、外壁内に断熱材180を入れやすくなるので、ＳＩ化と高気密・高断熱化とを両立させることができる。また、例えば、大空間領域10の第１端縁30以外の端縁上に、大開口を設けることも可能となる。更に、例えば、大空間領域10に隣接して部屋を増築することも比較的容易となる。すなわち、大空間領域10に隣接して部屋を増築する場合には、大空間領域10と増築した部屋とを結ぶ通路が必要になるところ、本発明では、住宅の外壁を主として準耐力壁120及び非耐力壁130で構成できることから、非耐力壁130を取り除いてそこに通路を設けるようにすれば、通路を設ける工事が比較的容易であり、また、非耐力壁130を取り除いても住宅全体の強度に大きな影響を与えないのである。
【００１７】
なお、隣接領域20内には耐力壁110が内壁として設けられることから、隣接領域20内の間取りの変更はある程度制限されるものの、隣接領域20内に、例えば、キッチン12や浴室23や洗面室22やトイレ14などの水まわりを集中して設け、更に、玄関21や階段13なども設けて、隣接領域20内の耐力壁110を、これらの周囲の壁とすれば、これらの位置を変更することは一般的には少ないので、リフォームの際にあまり不便が生じない。
（請求項２）
請求項２記載の発明は、請求項１記載の発明を限定したものであって、大空間領域10の第１端縁30と対向する端縁を第２端縁40とし、第１端縁30に沿って設けた第１梁101と、第２端縁40に沿って設けた第２梁102と、第１梁101と第２梁102との間に架け渡されている複数の第３梁とを備え、第１梁101の下に、Ｘ軸方向に沿った耐力壁110が設けられていることを特徴とする。
【００１８】
ここで、「第２端縁40」とは、大空間領域10の第１端縁30と対向する端縁をいう。
例えば、住宅の南側に大空間領域10を設けるとともに、住宅の北側に大空間領域10に隣接して隣接領域20を設けた場合、大空間領域10の北側の端縁が第１端縁30となり、また、大空間領域10の南側の端縁が第２端縁40となる。
また、「第１梁101」は、第１端縁30に沿って設けられる梁である。
また、「第２梁102」は、第２端縁40に沿って設けられる梁である。
また、「第３梁」は、第１梁101と第２梁102との間に架け渡される梁である。また、第３梁は、複数備えられる。
【００１９】
そして、本発明では、第１梁101の下に、Ｘ軸方向に沿った耐力壁110が設けられている。
このように、大空間領域10の隣接領域20側の端縁に沿って、第１梁101を設け、前記端縁と対向する端縁に沿って、第２梁102を設け、更に、第１梁101と第２梁102との間にロングスパンの第３梁を架け渡すことにより、大空間領域10内に下がり壁ができないようにしている。
また、第１梁101は、大空間領域10上に架け渡された複数の第３梁を支持することから、鉛直方向に大きな荷重を受けるのみならず、水平方向にも大きな荷重を受け得るが、第１梁101の下に、Ｘ軸方向に沿った耐力壁110が設けられているので、第１梁101がＸ軸方向の荷重に対して十分な強度を発揮し、ひいては住宅全体がＸ軸方向の荷重に対して十分な強度を発揮する。
【００２０】
（請求項３）
また、請求項３記載の発明は、請求項２記載の発明を限定したものであって、第３梁は、その両端付近を第１梁101及び第２梁102の上にそれぞれ載せられ、第１梁101及び第２梁102の上を跨ぐようにして、第１梁101と第２梁102との間に架け渡されていることを特徴とする。
このように、第３梁について、その両端付近を第１梁101及び第２梁102の上にそれぞれ載せ、第１梁101及び第２梁102の上を跨ぐようにして、第１梁101と第２梁102との間に架け渡すことにより、つまり、梁の上に梁を載せる構造にすることにより、第３梁の断面欠損をなくして、第３梁の高さを必要以上に高くしなくても、第３梁がロングスパンに十分耐え得るようにしている。
【００２１】
（請求項４）
また、請求項４記載の発明は、請求項２又は３記載の発明を限定したものであって、第１梁101は、第１端縁30上に設けた複数の柱50で支持されているとともに、第１梁101の長手方向の中間位置は、第１梁101よりも外径が大きく、かつ、第１梁101を支持する複数の柱50の中で外径が最も大きい大柱60で支持されていることを特徴とする。
ここで、「大柱60」は、第１端縁30上に設けられ、第１梁101の長手方向の中間位置を支持する柱50である。また、大柱60は、第１梁101よりも外径が大きく、かつ、第１梁101を支持する複数の柱50の中で外径が最も大きい。
【００２２】
第１梁101は、大空間領域10上に架け渡された複数の第３梁を支持するから、鉛直方向に大きな荷重を受けるが、このように、第１端縁30上に、外径が大きい大柱60を設け、この大柱60で第１梁101の中間位置を支持することにより、大空間領域10をほとんど狭めることなく、第１梁101を支持する他の柱50にかかる鉛直方向の荷重を軽減させることができる。また、このような大柱60を住宅の中心付近に設けることで、住人に安心感を与えることができる。
（請求項５）
また、請求項５記載の発明は、請求項４記載の発明を限定したものであって、隣接領域20の大空間領域10とは反対側の端縁に沿って設けた第４梁104と、第１梁101と第４梁104との間に架け渡されている複数の第５梁とを備え、複数の第５梁のうちの少なくとも１つは、大柱60に固定され、大柱60に固定された第５梁の下に、Ｙ軸方向に沿った耐力壁110が設けられていることを特徴とする。
【００２３】
ここで、「第４梁104」は、隣接領域20の大空間領域10とは反対側の端縁に沿って設けられる梁である。つまり、隣接領域20の大空間領域10側の端縁に沿って、第１梁101が設けられ、また、隣接領域20の大空間領域10とは反対側の端縁に沿って、第１梁101と対向するように、第４梁104が設けられる。
また、「第５梁」は、第１梁101と第４梁104との間に架け渡される梁である。また、第５梁は、複数備えられる。
そして、本発明では、複数の第５梁のうちの少なくとも１つは、大柱60に固定され、この大柱60に固定された第５梁の下に、Ｙ軸方向に沿った耐力壁110が設けられている。
【００２４】
このように、隣接領域20の大空間領域10とは反対側の端縁に沿って、第４梁104を設け、また、第１梁101と第４梁104との間に複数の第５梁を架け渡し、更に、複数の第５梁のうちの少なくとも１つを大柱60に固定し、そして、この大柱60に固定した第５梁の下に、Ｙ軸方向に沿った耐力壁110を設けると、大柱60及び大柱60に固定した第５梁がＹ軸方向の荷重に対して十分な強度を発揮し、ひいては住宅全体がＹ軸方向の荷重に対して十分な強度を発揮する。
また、住宅を平面視すると、大柱60からＸ軸方向に、第１梁101が延び、また、大柱60からＹ軸方向に、第５梁が延びている。そして、第１梁101の下に、Ｘ軸方向に沿った耐力壁110が設けられ、また、大柱60から延びる第５梁の下に、Ｙ軸方向に沿った耐力壁110が設けられている。このため、大柱60がＸ軸方向の荷重に対してもＹ軸方向の荷重に対しても十分な強度を発揮するので、住宅全体がＸ軸方向の荷重に対してもＹ軸方向の荷重に対しても十分な強度を発揮する。
【００２５】
（請求項６）
また、請求項６記載の発明は、請求項３ないし５記載の発明を限定したものであって、第１梁101及び第２梁102は、通常梁が設けられる位置から、第１梁101及び第２梁102の高さの分だけ低い位置に下げて設けられていることを特徴とする。
ここで、「通常梁が設けられる位置」とは、大空間領域10の床の高さ、大空間領域10の天井の高さ、あるいは大空間領域10の上階の床の高さから考えて、これらを基準に計算して、通常梁が設けられる位置、という意味である。
またここで、本発明では、第１梁101及び第２梁102の上に、第３梁が載せられ、第３梁の上に、大空間領域10の上階の床が張られることから、仮に、第１梁101及び第２梁102を、通常梁が設けられる位置に設けると、第３梁の高さが、第１梁101及び第２梁102の高さの分だけ高くなり、ひいては大空間領域10の上階の床の高さが、第１梁101及び第２梁102の高さの分だけ高くなる。これでは、住宅全体の高さが所定の範囲内に収まらない。
【００２６】
このように、第１梁101及び第２梁102を、通常梁が設けられる位置から、第１梁101及び第２梁102の高さの分だけ下げた位置に設けると、第３梁の高さを通常の高さにでき、これにより、大空間領域10の上階の床の高さを通常の高さにでき、ひいては住宅全体の高さを所定の範囲内に収めることができる。
（請求項７）
また、請求項７記載の発明は、請求項３ないし６記載の発明を限定したものであって、大空間領域10の天井は、第１梁101及び第２梁102の下面より上方、かつ、各第３梁の下面より下方の位置に設けられていることを特徴とする。
【００２７】
ここで、本発明では、第１梁101及び第２梁102の上に、第３梁が載せられ、第３梁の上に、大空間領域10の上階の床が張られることから、仮に、第１梁101及び第２梁102の下に、大空間領域10の天井を張ると、大空間領域10の天井と大空間領域10の上階の床との間隔が比較的大きくなり、住宅の高さ方向の無駄な空間が比較的大きくなる。
このように、第１梁101及び第２梁102の下面より上方、かつ、各第３梁の下面より下方に、大空間領域10の天井を設けると、大空間領域10の天井と大空間領域10の上階の床との間隔を比較的小さくでき、住宅の高さ方向の無駄な空間を比較的小さくできる。
特に、第１梁101及び第２梁102を、通常梁が設けられる位置から、第１梁101及び第２梁102の高さの分だけ下げた位置に設け、かつ、大空間領域10の天井を、第１梁101及び第２梁102の下面より上方、かつ、各第３梁の下面より下方に設けると、大空間領域10の上階の床の高さを、通常の高さにし、住宅全体の高さを、所定の範囲内に収めつつ、大空間領域10の天井の高さを、十分に確保できる。
【００２８】
また、大空間領域10の天井を、第１梁101及び第２梁102の下面より上方に設けると、第１梁101及び第２梁102が、下がり壁になるものの、第１梁101及び第２梁102が、大空間領域10の端縁に沿っている上に、第１梁101の下には、耐力壁110などがあるので、住人に違和感を感じさせない。
（請求項８）
また、請求項８記載の発明は、請求項１ないし７記載の発明を限定したものであって、隣接領域20内には、水まわりが設けられ、Ｙ軸方向に沿った耐力壁110は、水まわりの周囲の壁とされていることを特徴とする。
【００２９】
ここで、「水まわり」とは、例えば、キッチン12や浴室23や洗面室22やトイレ14などを意味する。隣接領域20内には、例えば、水まわりとしてのキッチン12のみを設けてもよく、また、水まわりとしてのトイレ14のみを設けてもよく、また、水まわりとしてのキッチン12と浴室23と洗面室22とトイレ14とを並べて設けてもよい。
このように、隣接領域20内にキッチン12や浴室23や洗面室22やトイレ14などの水まわりを設け、Ｙ軸方向に沿った耐力壁110を、水まわりの周囲の壁とすると、隣接領域20内では間取りの変更が難しくなるものの、水まわりの位置を変更することは一般的には少ないので、リフォームの際に不便が生じないのである。
【発明の効果】
【００３０】
（請求項１）
請求項１記載の発明によれば、大空間領域を確保しつつ、構造部分の強度を十分に確保し、しかも、住宅の外周から筋交いなどを極力少なくできることから、外壁内に断熱材を入れやすくすることができるので、ＳＩ化と高気密・高断熱化とを両立させた住宅を提供できる。
（請求項２）
請求項２記載の発明によれば、大空間領域内に下がり壁ができないようにすることができ、更には、Ｘ軸方向の荷重に対して十分な強度を発揮する住宅を提供できる。
【００３１】
（請求項３）
請求項３記載の発明によれば、第３梁の断面欠損をなくすことができるので、第３梁の高さを必要以上に高くしなくても、第３梁がロングスパンに十分耐え得る住宅を提供できる。
（請求項４）
請求項４記載の発明によれば、大空間領域をほとんど狭めることなく、第１梁を支持する他の柱にかかる鉛直方向の荷重を軽減させることができ、更には、住人に安心感を与える住宅を提供できる。
【００３２】
（請求項５）
請求項５記載の発明によれば、Ｙ軸方向の荷重に対して十分な強度を発揮する住宅を提供できる。
（請求項６）
請求項６記載の発明によれば、梁の上に梁を載せる構造にしても、大空間領域の上階の床の高さを通常の高さにすることができ、ひいては住宅全体の高さを所定の範囲内に収めた住宅を提供できる。
（請求項７）
請求項７記載の発明によれば、梁の上に梁を載せる構造にしても、大空間領域の天井と大空間領域の上階の床との間隔を比較的小さくすることができ、ひいては住宅の高さ方向の無駄な空間を比較的小さくすることができ、しかも、大空間領域の天井の高さを十分に確保した住宅を提供できる。
【００３３】
（請求項８）
請求項８記載の発明によれば、リフォームの際に不便が生じにくい住宅を提供できる。
【発明を実施するための最良の形態】
【００３４】
本実施の形態は、本発明を木造軸組工法による２階建ての住宅に適用した一例である。つまり、本実施の形態に係る住宅は、木造軸組工法による２階建ての住宅である。
図１ないし図１５は、本実施の形態に係る住宅を示すものである。
図１は、本実施の形態に係る住宅の１階の平面間取り図、図２は、本実施の形態に係る住宅の１階の柱50・壁の伏せ図、図３は、本実施の形態に係る住宅の１階の天井（２階の床）の梁の伏せ図、図４は、本実施の形態に係る住宅の２階の平面間取り図、図５は、本実施の形態に係る大柱60と第１梁101と第５梁との軸組構造を示す分解斜視図、図６は、本実施の形態に係る大柱60と第１梁101と第５梁との軸組構造を示す一部分解斜視図、図７は、本実施の形態に係る大柱60と第１梁101と第５梁との軸組構造を示す斜視図、図８は、本実施の形態に係る大柱60と第１梁101と第５梁との軸組構造を示す側面図、図９は、本実施の形態に係る大柱60と第１梁101と第５梁との軸組構造を示す平面図、図１０は、本実施の形態に係る耐力壁110を示す正面図、図１１は、本実施の形態に係る耐力壁110の要部を示す断面拡大図、図１２は、本実施の形態に係る耐力壁110を住宅の内壁として用いた場合を示す断面図、図１３は、本実施の形態に係る耐力壁110を住宅の内壁として用いた場合の床面近傍を示す断面図、図１４は、本実施の形態に係る耐力壁110を住宅の外壁として用いた場合を示す断面図、図１５は、本実施の形態に係る耐力壁110を住宅の外壁として用いた場合の床面近傍を示す断面図である。
【００３５】
図１に示すように、本実施の形態に係る住宅は、１階に、大空間領域10と、大空間領域10に隣接して設けた隣接領域20とを有している。
また、本実施の形態では、大空間領域10は、住宅の南側に設けられ、また、隣接領域20は、住宅の北側に設けられている。
また、本実施の形態では、大空間領域10は、主として、ＬＤＫ11（リビング・ダイニング・キッチン）として使用されるようになっている。また、本実施の形態では、大空間領域10には、キッチン12、階段13、及びトイレ14が設けられている。具体的には、大空間領域10の西側に、キッチン12が設けられ、また、キッチン12の北側に隣接して、階段13が設けられ、また、階段13の北側に隣接して、トイレ14が設けられている。
【００３６】
また、本実施の形態では、隣接領域20には、玄関21、洗面室22、及び浴室23が設けられている。具体的には、隣接領域20の東側に、玄関21が設けられ、また、玄関21の西側に隣接して、洗面室22が設けられ、また、洗面室22の西側に隣接して、浴室23が設けられている。また、浴室23は、住宅の北西の隅に位置している。
ここで、大空間領域10の隣接領域20側の端縁を、第１端縁30とし、また、大空間領域10の第１端縁30と対向する端縁を、第２端縁40とし、また、第１端縁30に沿った方向を、Ｘ軸方向とし、また、Ｘ軸方向と直交する方向を、Ｙ軸方向とする。
そうすると、本実施の形態では、大空間領域10の北側の端縁が、第１端縁30となり、また、大空間領域10の南側の端縁が、第２端縁40となり、また、東西方向が、Ｘ軸方向となり、また、南北方向が、Ｙ軸方向となる。
【００３７】
またここで、図２では、黒塗りの四角は、柱50を示し、また、太線は、耐力壁110を示し、また、二重線は、準耐力壁120を示している。また、図２では、非耐力壁130は、省略してある。
また、図２に示すように、本実施の形態では、第１端縁30上の所定位置には、Ｘ軸方向に沿った耐力壁110が、住宅の内壁として設けられている。
具体的には、本実施の形態では、浴室23とトイレ14との間に、つまり、第１端縁30上に、Ｘ軸方向に沿った耐力壁110が、２つ並べて設けられている。また、これら２つの耐力壁110は、住宅の内壁とされ、更には、水まわりである浴室23及びトイレ14の周囲の壁とされている。
【００３８】
また、図２に示すように、本実施の形態では、隣接領域20内の所定位置には、Ｙ軸方向に沿った耐力壁110が、住宅の内壁として設けられている。
具体的には、本実施の形態では、玄関21と洗面室22との間に、つまり、隣接領域20内に、Ｙ軸方向に沿った耐力壁110が、２つ並べて設けられている。また、これら２つの耐力壁110は、住宅の内壁とされ、更には、水まわりである洗面室22の周囲の壁とされている。
また、図２に示すように、本実施の形態では、大空間領域10の東側の端縁上には、Ｙ軸方向に沿った耐力壁110が、住宅の外壁として、所定間隔をあけて２つ設けられ、また、大空間領域10の南側の端縁上には、Ｘ軸方向に沿った耐力壁110が、住宅の外壁として、１つ設けられている。また、キッチン12と階段13との間には、Ｘ軸方向に沿った耐力壁110が、住宅の内壁として、２つ並べて設けられ、また、階段13の西側には、Ｙ軸方向に沿った耐力壁110が、住宅の外壁として、１つ設けられている。
【００３９】
また、図２に示すように、本実施の形態では、洗面室22の北側には、Ｘ軸方向に沿った準耐力壁120が、住宅の外壁として、１つ設けられ、また、洗面室22とＬＤＫ11との間には、Ｘ軸方向に沿った準耐力壁120が、住宅の内壁として、１つ設けられている。また、図２に示すように、玄関21の北側には、Ｘ軸方向に沿った準耐力壁120が、住宅の外壁として、１つ設けられ、また、玄関21とＬＤＫ11との間には、Ｘ軸方向に沿った準耐力壁120が、住宅の内壁として、１つ設けられている。また、図２に示すように、ＬＤＫ11の南東の隅には、Ｘ軸方向に沿った準耐力壁120とＹ軸方向に沿った準耐力壁120とが、住宅の外壁として、Ｌ字形に設けられ、また、ＬＤＫ11の南西の隅にも同様に、Ｘ軸方向に沿った準耐力壁120とＹ軸方向に沿った準耐力壁120とが、住宅の外壁として、Ｌ字形に設けられている。
【００４０】
また、図２では省略しているが、住宅の外周で耐力壁110も準耐力壁120も示されていない部分には、非耐力壁130で構成した外壁又は開口が設けられ、また、トイレ14と階段13との間や、浴室23と洗面室22との間には、非耐力壁130で構成した内壁が設けられている。
また、図３に示すように、本実施の形態では、第１端縁30に沿って、第１梁101が設けられ、また、第２端縁40に沿って、第２梁102が設けられ、また、第１梁101と第２梁102との間には、複数の第３梁が架け渡されている。また、隣接領域20の大空間領域10とは反対側の端縁に沿って、第４梁104が設けられ、また、第１梁101と第４梁104との間には、複数の第５梁が架け渡されている。
【００４１】
また、図３に示すように、第１梁101は、第１端縁30上に設けた複数の柱50で支持されている。
また、図３に示すように、第１梁101は、その長手方向の中間位置を、第１梁101よりも外径が大きく、かつ、第１梁101を支持する複数の柱50の中で外径が最も大きい大柱60で支持されている。
また、第１梁101の下に、Ｘ軸方向に沿った耐力壁110が設けられている。
また、図３に示すように、第２梁102は、第２端縁40上に設けた複数の柱50で支持されている。
【００４２】
また、図３に示すように、第３梁は、その両端付近を第１梁101及び第２梁102の上にそれぞれ載せられ、第１梁101及び第２梁102の上を跨ぐようにして、第１梁101と第２梁102との間に架け渡されている。具体的には、本実施の形態では、第１梁101と第２梁102との間には、西側から東側へ向けて順に、第３梁Ａ103aから第３梁Ｇ103gまでの７本の第３梁が架け渡されている。そして、第３梁Ｃ103c以外の６本の第３梁は、その両端付近を第１梁101及び第２梁102の上にそれぞれ載せられ、第１梁101及び第２梁102の上を跨ぐようにして、第１梁101と第２梁102との間に架け渡されている。
また、図３に示すように、第４梁104は、隣接領域20の大空間領域10とは反対側の端縁上に設けた複数の柱50で支持されている。
【００４３】
また、図３に示すように、複数の第５梁のうちの少なくとも一部は、その両端付近を第１梁101及び第４梁104の上にそれぞれ載せられ、第１梁101及び第４梁104の上を跨ぐようにして、第１梁101と第４梁104との間に架け渡されている。具体的には、本実施の形態では、第１梁101と第４梁104との間には、西側から東側へ向けて順に、第５梁Ａ105aから第５梁Ｋ105kまでの１１本の第５梁が架け渡されている。そして、第５梁Ｆ105f以外の１０本の第５梁は、その両端付近を第１梁101及び第４梁104の上にそれぞれ載せられ、第１梁101及び第４梁104の上を跨ぐようにして、第１梁101と第４梁104との間に架け渡されている。
【００４４】
また、図３に示すように、複数の第５梁のうちの少なくとも１つは、大柱60に固定されている。具体的には、本実施の形態では、第５梁Ｅ105e、第５梁Ｆ105f、及び第５梁Ｇ105gの３本の第５梁が、大柱60に固定されている。
また、大柱60に固定された第５梁の下に、Ｙ軸方向に沿った耐力壁110が設けられている。具体的には、本実施の形態では、第５梁Ｆ105fの下に、Ｙ軸方向に沿った耐力壁110が設けられている。
また、図４に示すように、本実施の形態に係る住宅は、２階に、ホール25と、主寝室26と、納戸27とを有している。
【００４５】
また、本実施の形態では、ホール25は、住宅の東側に設けられ、また、主寝室26は、住宅の南西側に設けられ、また、納戸27は、住宅の北西側に設けられている。
また、２階の柱50及び壁の説明、並びに２階の天井（屋根）の梁の説明については、省略する。
次に、図５ないし図９に基づいて、本実施の形態における、大柱60と第１梁101と第５梁との軸組構造について説明する。
図５ないし図９に示すように、本実施の形態では、大柱60と、大柱60と直交し、かつ、大柱60に支持される第１梁101と、大柱60及び第１梁101と直交し、かつ、大柱60を両側から挟み込み、かつ、第１梁101の上に載せられて、第１梁101に支持される２つの第５梁とを備えた構成となっている。
【００４６】
また、図５ないし図９に示すように、大柱60は、側面同士を組み合わせた第１柱部材61と、第２柱部材62とを備えている。つまり、本実施の形態では、大柱60は、第１柱部材61及び第２柱部材62の２つの部材の側面同士を組み合わせることによって形成されている。更に換言すれば、第１柱部材61の側面と第２柱部材62の側面とを組み合わせることによって、１つの大柱60が形成されている。
また、図５に示すように、第１柱部材61の、第２柱部材62側の側面の所定位置には、当該側面の横方向の一端から他端まで至る、第１横方向切欠部63が設けられている。つまり、第１横方向切欠部63は、第１柱部材61の第２柱部材62側の側面に設けられており、横方向に延びる切り欠きであって、当該側面の一端から他端まで至るように形成されている。更に言い換えれば、第１横方向切欠部63は、第１柱部材61の第２柱部材62側の側面の右端から左端まで至る凹部であって、第１柱部材61の第２柱部材62側の側面を切削して形成されている。
【００４７】
また、図５に示すように、第２柱部材62の、第１柱部材61側の側面の、第１横方向切欠部63と対向する位置には、当該側面の横方向の一端から他端まで至る、第２横方向切欠部64が設けられている。つまり、第２横方向切欠部64は、第２柱部材62の第１柱部材61側の側面に設けられており、横方向に延びる切り欠きであって、当該側面の一端から他端まで至るように形成されている。更に言い換えれば、第２横方向切欠部64は、第２柱部材62の第１柱部材61側の側面の右端から左端まで至る凹部であって、第２柱部材62の第１柱部材61側の側面を切削して形成されている。
また、第１柱部材61と第２柱部材62とを組み合わせると、第１横方向切欠部63と第２横方向切欠部64とから、大柱60を横方向に貫通する貫通孔65が形成される。また、貫通孔65の縦方向の径は、第１梁101の高さとほぼ等しく形成され、また、貫通孔65の横方向の径は、第１梁101の幅とほぼ等しく形成されている。
【００４８】
また、図６に示すように、第１梁101は、貫通孔65に通されて、大柱60に支持されている。
また、図５及び図６に示すように、第５梁としての第５梁Ｅ105eの大柱60側の側面には、当該側面の上端から下端まで至る、縦方向切欠部106が設けられている。また、縦方向切欠部106の幅は、大柱60の第５梁Ｅ105e側の側面の幅とほぼ等しく形成されている。
また、図５及び図６に示すように、第５梁としての第５梁Ｇ105gの大柱60側の側面には、当該側面の上端から下端まで至る、縦方向切欠部106が設けられている。また、縦方向切欠部106の幅は、大柱60の第５梁Ｇ105g側の側面の幅とほぼ等しく形成されている。
【００４９】
つまり、各第５梁の大柱60側の側面には、それぞれ、当該側面の上端から下端まで至る、縦方向切欠部106が設けられている。また、各縦方向切欠部106の幅は、大柱60の各第５梁側の側面の幅とほぼ等しく形成されている。
そして、図７及び図９に示すように、各縦方向切欠部106は、それぞれ、大柱60と嵌合している。
また、図５ないし図９に示すように、本実施の形態では、２つの第５梁と平行であり、かつ、２つの第５梁の間に挟まれる第３梁を備えた構成となっている。
また、図５及び図６に示すように、第１柱部材61の、第１横方向切欠部63とは反対側の側面には、第１嵌合穴66が設けられている。また、第１嵌合穴66は、第５梁としての第５梁Ｅ105eと第５梁Ｇ105gとの間に相当する位置に設けられている。また、第１嵌合穴66は、第１柱部材61を貫通しないように形成されている。また、第１嵌合穴66の縦方向の径は、第３梁としての第３梁Ｃ103cの高さとほぼ等しく形成され、また、第１嵌合穴66の横方向の径は、第３梁としての第３梁Ｃ103cの幅とほぼ等しく形成されている。
【００５０】
そして、図７及び図９に示すように、第３梁Ｃ103cの先端は、第１嵌合穴66に差し込まれている。また、第３梁Ｃ103cの先端付近は、第５梁Ｅ105eと第５梁Ｇ105gとに挟まれた状態で、第５梁Ｅ105eと第５梁Ｇ105gとに固定されている。また、第３梁Ｃ103cと、第５梁Ｅ105e及び第５梁Ｇ105gとの固定は、第３梁Ｃ103cと第５梁Ｅ105eとの間に接着剤を流し込むとともに、第３梁Ｃ103cと第５梁Ｇ105gとの間に接着剤を流し込み、更には、第５梁Ｅ105eの側面から第３梁Ｃ103cを貫通して第５梁Ｇ105gの側面まで至るダボ孔を設けるとともに、このダボ孔にダボを圧入することによって行われている。また、第３梁Ｃ103cの他端は、第２梁102の上に載せられて、第２梁102に支持されている。
【００５１】
また、図５ないし図９に示すように、本実施の形態では、２つの第５梁と平行であり、かつ、２つの第５梁の間に挟まれる他の第５梁を備えた構成となっている。
また、図５及び図６に示すように、第２柱部材62の、第２横方向切欠部64とは反対側の側面には、第２嵌合穴67が設けられている。また、第２嵌合穴67は、第５梁としての第５梁Ｅ105eと第５梁Ｇ105gとの間に相当する位置に設けられている。また、第２嵌合穴67は、第２柱部材62を貫通しないように形成されている。また、第２嵌合穴67の縦方向の径は、他の第５梁としての第５梁Ｆ105fの高さとほぼ等しく形成され、また、第２嵌合穴67の横方向の径は、他の第５梁としての第５梁Ｆ105fの幅とほぼ等しく形成されている。
【００５２】
そして、図７及び図９に示すように、第５梁Ｆ105fの先端は、第２嵌合穴67に差し込まれている。また、第５梁Ｆ105fは、第５梁Ｅ105eと第５梁Ｇ105gとに挟まれた状態で、第５梁Ｅ105eと第５梁Ｇ105gとに固定されている。また、第５梁Ｅ105eと、第５梁Ｆ105f及び第５梁Ｇ105gとの固定は、第５梁Ｅ105eと第５梁Ｆ105fとの間に接着剤を流し込むとともに、第５梁Ｆ105fと第５梁Ｇ105gとの間に接着剤を流し込み、更には、第５梁Ｅ105eの側面から第５梁Ｆ105fを貫通して第５梁Ｇ105gの側面まで至るダボ孔を設けるとともに、このダボ孔にダボを圧入することによって行われている。また、第５梁Ｆ105fの他端は、第４梁104の上に載せられて、第４梁104に支持されている。
【００５３】
また、本実施の形態では、第１梁101及び第２梁102は、通常梁が設けられる位置から、第１梁101及び第２梁102の高さの分だけ低い位置に下げて設けられている。
また、通常梁が設けられる位置とは、大空間領域10の床の高さ、大空間領域10の天井の高さ、あるいは大空間領域10の上階の床の高さから考えて、これらを基準に計算して、通常梁が設けられる位置、という意味である。
また、本実施の形態では、大空間領域10の天井は、第１梁101及び第２梁102の下面より上方、かつ、各第３梁の下面より下方の位置に設けられている。
次に、図１０ないし図１５に基づいて、本実施の形態における、耐力壁110の構造について説明する。
【００５４】
図１０に示すように、本実施の形態では、耐力壁110は、水平方向に延びる水平軸組材と鉛直方向に延びる鉛直軸組材とで形成される四角形状の枠材と、水平方向の荷重に対する耐力を確保するために、枠材の開口を塞ぐように枠材に張り付けられた構造用面材とを備えた構成となっている。
また、図１０ないし図１５に示すように、本実施の形態では、構造用面材の表面が鉛直軸組材の側面よりも外側に迫り出さないように、鉛直軸組材の表面を凹ました凹み部が設けられ、この凹み部に構造用面材の端縁部分が配置された状態で構造用面材が鉛直軸組材に張り付けられている。
【００５５】
また、図１０に示すように、本実施の形態では、水平軸組材のうち、床側に配置された床側水平軸組材の上面と構造用面材の下端面との間に、床面材190が配置可能な隙間150が設けられている。
また、図１１ないし図１５に示すように、本実施の形態では、構造用面材の表面と鉛直軸組材の側面とがほぼ同一面となるように、鉛直軸組材の側面を段付状に凹ました段付部70が凹み部として設けられている。
また、図１２に示すように、本実施の形態では、耐力壁110と、準耐力壁120や非耐力壁130とが、横並びに連続して設けられており、これにより、住宅の内壁が構成されている。また、内壁を構成する耐力壁110の両側には、内壁下地面材160が張り付けられている。また、内壁を構成する準耐力壁120や非耐力壁130の両側にも、内壁下地面材160が張り付けられている。そして、内壁を構成する耐力壁110の両側に張り付けられた内壁下地面材160と、内壁を構成する準耐力壁120や非耐力壁130の両側に張り付けられた内壁下地面材160とが、段差なく連続して同一面を形成している。
【００５６】
また、図１３に示すように、本実施の形態では、内壁を構成する耐力壁110の両側に、部屋が設けられるとともに、これらの部屋の床を構成する床面材190は、その端縁部分が、いずれも、床側水平軸組材の上面に載置されている。
また、図１４に示すように、本実施の形態では、耐力壁110と、準耐力壁120や非耐力壁130とが、横並びに連続して設けられており、これにより、住宅の外壁が構成されている。また、外壁を構成する耐力壁110の屋内側には、内壁下地面材160が張り付けられ、また、同屋外側には、外壁仕上面材170が張り付けられている。また、外壁を構成する準耐力壁120や非耐力壁130の屋内側には、内壁下地面材160が張り付けられ、また、同屋外側には、外壁仕上面材170が張り付けられている。そして、外壁を構成する耐力壁110の屋内側に張り付けられた内壁下地面材160と、外壁を構成する準耐力壁120や非耐力壁130の屋内側に張り付けられた内壁下地面材160とが、段差なく連続して同一面を形成しているとともに、外壁を構成する耐力壁110の屋外側に張り付けられた外壁仕上面材170と、外壁を構成する準耐力壁120や非耐力壁130の屋外側に張り付けられた外壁仕上面材170とが、段差なく連続して同一面を形成している。
【００５７】
また、図１５に示すように、外壁を構成する耐力壁110では、構造用面材が枠材の屋内側に設けられているとともに、断熱材180が構造用面材よりも屋外側に設けられている。
具体的には、図１０に示すように、本実施の形態では、耐力壁110は、地面に打設された基礎80の上に構築されている。すなわち、基礎80の上端面には、水平軸組材である土台85が載置されている。土台85の上面には、鉛直軸組材である柱50が所定間隔をおいて複数立設されている。これらの柱50の上端部は、水平軸組材である第１梁101や第５梁Ｆ105fなどの梁により相互に連結されている。これらの土台85、梁、及び柱50により、四角形状の枠材が形成されている。耐力壁110は、枠材の開口を塞ぐように、枠材に構造用面材である構造用合板140が張り付けられたものとなっている。
【００５８】
ここで、土台85の上面及び梁の下面のそれぞれには、柱50を設置すべき位置にホゾ穴がそれぞれ形成されている。一方、柱50の上下の両端部には、ホゾ穴のそれぞれに対応して形成されたホゾが設けられている。柱50は、上下の両端部のホゾを土台85及び梁のホゾ穴にそれぞれ嵌合させた状態で、土台85及び梁に各々接合されている。これにより、土台85、柱50、及び梁が枠材を形成している。
また、図１１に示すように、本実施の形態では、柱50には、構造用合板140の表面が柱50の側面よりも外側に迫り出さないように、柱50の表面を凹ました凹み部が設けられている。凹み部は、柱50の４つの側面のうち、構造用合板140が張り付けられる側面を段付状に凹ますことにより形成されるとともに、構造用合板140の端縁部分が嵌め込めるようになった段付部70となっている。この段付部70に構造用合板140の端縁部分が配置され、これにより、構造用合板140の表面と柱50の側面とがほぼ同一面となっている。
【００５９】
また、図１０及び図１１に示すように、本実施の形態では、構造用合板140は、その端縁部分が段付部70に配置された状態で、段付部70の長手方向に沿って所定のピッチで打ち付けられた複数の釘114により柱50に張り付けられている。この際、構造用合板140を柱50に張り付けている複数の釘114のピッチは、５０mm以上２００mm未満の範囲に設定され、これにより、構造用合板140の柱50への接合強度が確保され、ひいては、耐力壁110の水平方向の荷重に対する耐力が充分確保されている。
また、図１０に示すように、本実施の形態では、土台85の上面と、構造用合板140の下端面との間に、床面材190が配置可能な隙間150が設けられている。
【００６０】
そして、図１０及び図１３に示すように、耐力壁110の構造用合板140側の床面材190は、その端縁部分を隙間150に挿通されて、土台85の上面に載置されている。
また、図１０に示すように、耐力壁110を構成する柱50の下端近傍には、ホールダウン金物111等の構造金物が固定されている。一方、基礎80の上端面からは、基端部分が基礎80の内部に埋設されたアンカーボルト112の先端部分が突出している。耐力壁110側の構造金物は、ナットにより基礎80側のアンカーボルト112に接合され、これにより、基礎80に耐力壁110の柱50が固定されている。
耐力壁110は、準耐力壁120や非耐力壁130と組み合わせることにより、住宅の内壁を構成する。以下、内壁について説明する。
【００６１】
準耐力壁120や非耐力壁130は、耐力壁110と同様に、土台85、梁、及び柱50により形成された四角形状の枠材を備えているが、構造用合板140は省略されたものである。なお、準耐力壁120や非耐力壁130を構成する柱50は、段付部70も省略されている。
内壁は、内壁を設置すべき位置に沿って、耐力壁110や準耐力壁120や非耐力壁130を連続して配列して構成されている。
すなわち、図１２に示すように、耐力壁110の枠材の両側には、内壁面の下地を形成する石膏ボード等の内壁下地面材160が張り付けられている。一方、準耐力壁120や非耐力壁130の枠材の両側には、耐力壁110と同様に、内壁面を形成するための内壁下地面材160が張り付けられている。そして、耐力壁110の枠材の両側に張り付けられた内壁下地面材160は、準耐力壁120や非耐力壁130の枠材の両側に張り付けられた内壁下地面材160と互いの表面が連続している。これにより、耐力壁110と、準耐力壁120や非耐力壁130とで、内壁が構成されている。
【００６２】
ここで、内壁の両側には部屋が設けられ、これらの部屋の床を構成する床面材190は、図１３に示すように、その端縁部分が柱50と干渉するのを回避するために、柱50の平面形状に応じた切り欠き部である逃げ部191を有している。
そして、内壁の両側の床面材190は、いずれも、その端縁部分を土台85の上面に載置されている。このうち、耐力壁110の構造用合板140側の床面材190は、その端縁部分を隙間150に通されて、土台85の上面に載置されている。
また、耐力壁110は、準耐力壁120や非耐力壁130と組み合わせることにより、住宅の外壁を構成する。以下、外壁について説明する。
【００６３】
外壁は、住宅の外周に沿って、耐力壁110や準耐力壁120や非耐力壁130を連続して配列して構成されている。
図１４及び図１５では、耐力壁110の右側は、屋内となっており、耐力壁110の枠材の屋内側には、図１４に示すように、内壁面を形成するための内壁下地面材160が張り付けられている。一方、準耐力壁120や非耐力壁130の枠材の屋内側には、耐力壁110と同様に、内壁面を形成するための内壁下地面材160が張り付けられている。
また、図１４及び図１５では、耐力壁110の左側は、屋外となっており、耐力壁110の枠材の屋外側には、図１４に示すように、外壁面を形成する防火サイディング等の外壁仕上面材170が張り付けられている。
【００６４】
また、図１４に示すように、耐力壁110の構造用合板140は、枠材の屋内側に設けられている。つまり、耐力壁110の構造用合板140は、屋内寄りの位置に設けられている。
一方、準耐力壁120や非耐力壁130の枠材の屋外側には、耐力壁110と同様に、外壁面を形成する外壁仕上面材170が張り付けられている。
そして、耐力壁110の屋内側に張り付けられた内壁下地面材160は、準耐力壁120や非耐力壁130の屋内側に張り付けられた内壁下地面材160と互いの表面が連続し、かつ、耐力壁110の屋外側に張り付けられた外壁仕上面材170は、準耐力壁120や非耐力壁130の屋外側に張り付けられた外壁仕上面材170と互いの表面が連続している。このようにして、耐力壁110と、準耐力壁120や非耐力壁130とで、外壁が構成されている。
【００６５】
また、耐力壁110や準耐力壁120や非耐力壁130に張り付けられた内壁下地面材160と外壁仕上面材170との間には、断熱材180が充填されている。またここで、耐力壁110においては、断熱材180は、構造用合板140よりも屋外側に充填されている。
また、外壁の屋内側には部屋が設けられ、この部屋の床を構成する床面材190は、図１５に示すように、その端縁部分が柱50と干渉するのを回避するために、柱50の平面形状に応じた切り欠き部である逃げ部191を有している。
そして、外壁の屋内側の床面材190は、いずれも、その端縁部分を土台85の上面に載置されている。このうち、耐力壁110の屋内側の床面材190は、その端縁部分を隙間150に通されて、土台85の上面に載置されている。
【００６６】
また、外壁を構成する耐力壁110は、構造用合板140と内壁下地面材160との間に設けた合成樹脂製シートで、屋内と屋外との高気密性を確保している。つまり、構造用合板140の屋内側に、合成樹脂製シートが張り付けられ、この合成樹脂製シートの屋内側に、内壁下地面材160が設けられている。また、合成樹脂製シートは、気体の流通を遮断する、気密性の高いものである。そして、合成樹脂製シートを構造用合板140と内壁下地面材160との間に設けることにより、つまり、合成樹脂製シートを構造用合板140の屋内側に設けることにより、外壁の内部における構造用合板140よりも屋外側の領域は、外気と換気が可能となっている。
【００６７】
一方、外壁を構成する非耐力壁130は、断熱材180を収納している収納袋で、屋内と屋外との高気密性を確保している。すなわち、非耐力壁130の内部には、断熱材180が設けられているが、この断熱材180は、合成樹脂製の収納袋に収納されている。また、この収納袋の周縁部分には、外方へ向けて突出する耳部が設けられている。そして、収納袋の耳部は、外壁を構成する非耐力壁130の枠材と内壁下地面材160との間に介装されている。これにより、枠材と内壁下地面材160との間の隙間が塞がれ、屋内と屋外との高気密性を確保されている。
以上説明したように、本実施の形態では、第１端縁30上の所定位置に、Ｘ軸方向に沿って、住宅の内壁として、耐力壁110を設けるとともに、隣接領域20内の所定位置に、Ｙ軸方向に沿って、住宅の内壁として、耐力壁110を設けている。
【００６８】
このように、大空間領域10に隣接して隣接領域20を設け、大空間領域10と隣接領域20との境界線上の所定位置に、この境界線に沿った方向の耐力壁110を、住宅の内壁として設けるとともに、隣接領域20内の所定位置に、前記境界線と直交する方向の耐力壁110を、住宅の内壁として設けることにより、大空間領域10を確保しつつ、構造部分の強度を十分に保ち、しかも、住宅の外周から筋交いなどを極力少なくすることができる。これにより、住宅の外壁を、主として準耐力壁120及び非耐力壁130で構成することができる。そうすると、外壁内に断熱材180を入れやすくなるので、ＳＩ化と高気密・高断熱化とを両立させることができる。また、例えば、大空間領域10の第１端縁30以外の端縁上に、大開口を設けることも可能となる。更に、例えば、大空間領域10に隣接して部屋を増築することも比較的容易となる。すなわち、大空間領域10に隣接して部屋を増築する場合には、大空間領域10と増築した部屋とを結ぶ通路が必要になるところ、本実施の形態によれば、住宅の外壁を主として準耐力壁120及び非耐力壁130で構成できることから、非耐力壁130を取り除いてそこに通路を設けるようにすれば、通路を設ける工事が比較的容易であり、また、非耐力壁130を取り除いても住宅全体の強度に大きな影響を与えないのである。
【００６９】
また、本実施の形態では、大空間領域10の隣接領域20側の端縁に沿って、第１梁101を設け、前記端縁と対向する端縁に沿って、第２梁102を設け、更に、第１梁101と第２梁102との間にロングスパンの第３梁を架け渡すことにより、大空間領域10内に下がり壁ができないようにしている。
また、本実施の形態では、第１梁101は、大空間領域10上に架け渡された複数の第３梁を支持することから、鉛直方向に大きな荷重を受けるのみならず、水平方向にも大きな荷重を受け得るが、第１梁101の下に、Ｘ軸方向に沿った耐力壁110が設けられているので、大きな荷重を受け得る第１梁101がＸ軸方向の荷重に対して十分な強度を発揮し、ひいては住宅全体がＸ軸方向の荷重に対して十分な強度を発揮する。
【００７０】
また、本実施の形態では、第３梁について、その両端付近を第１梁101及び第２梁102の上にそれぞれ載せ、第１梁101及び第２梁102の上を跨ぐようにして、第１梁101と第２梁102との間に架け渡すことにより、つまり、梁の上に梁を載せる構造にすることにより、第３梁の断面欠損をなくして、第３梁の高さを必要以上に高くしなくても、第３梁がロングスパンに十分耐え得るようにしている。
また、本実施の形態では、第１梁101は、大空間領域10上に架け渡された複数の第３梁を支持することから、鉛直方向に大きな荷重を受けるが、第１端縁30上に、外径が大きい大柱60を設け、この大柱60で第１梁101の中間位置を支持することにより、大空間領域10をほとんど狭めることなく、第１梁101を支持する他の柱50や耐力壁110にかかる鉛直方向の荷重を軽減させることができる。また、このような大柱60を住宅の中心付近に設けることで、住人に安心感を与えることができる。
【００７１】
また、本実施の形態では、隣接領域20の大空間領域10とは反対側の端縁に沿って、第４梁104を設け、第１梁101及び第４梁104の上を跨ぐようにして、第１梁101と第４梁104との間に複数の第５梁を架け渡し、更に、複数の第５梁のうちの少なくとも１つを大柱60に固定し、そして、大柱60に固定した第５梁の下に、Ｙ軸方向に沿った耐力壁110を設けているので、大柱60及び大柱60に固定した第５梁がＹ軸方向の荷重に対して十分な強度を発揮し、ひいては住宅全体がＹ軸方向の荷重に対して十分な強度を発揮する。
また、本実施の形態では、住宅を平面視すると、大柱60からＸ軸方向に、第１梁101が延び、また、大柱60からＹ軸方向に、第５梁が延びている。そして、第１梁101の下に、Ｘ軸方向に沿った耐力壁110が設けられ、また、大柱60から延びる第５梁の下に、Ｙ軸方向に沿った耐力壁110が設けられている。このため、大柱60がＸ軸方向の荷重に対してもＹ軸方向の荷重に対しても十分な強度を発揮するので、住宅全体がＸ軸方向の荷重に対してもＹ軸方向の荷重に対しても十分な強度を発揮する。
【００７２】
また、本実施の形態では、第１梁101及び第２梁102の上に、第３梁が載せられ、第３梁の上に、大空間領域10の上階の床が張られることから、仮に、第１梁101及び第２梁102を、通常梁が設けられる位置に設けると、第３梁の高さが、第１梁101及び第２梁102の高さの分だけ高くなり、ひいては大空間領域10の上階の床の高さが、第１梁101及び第２梁102の高さの分だけ高くなる。これでは、住宅全体の高さが所定の範囲内に収まらない。このため、本実施の形態では、第１梁101及び第２梁102を、通常梁が設けられる位置から、第１梁101及び第２梁102の高さの分だけ下げた位置に設けている。これにより、第３梁の高さを通常の高さにし、大空間領域10の上階の床の高さを通常の高さにし、ひいては住宅全体の高さを所定の範囲内に収めている。
【００７３】
また、本実施の形態では、第１梁101及び第２梁102の上に、第３梁が載せられ、第３梁の上に、大空間領域10の上階の床が張られることから、仮に、第１梁101及び第２梁102の下に、大空間領域10の天井を張ると、大空間領域10の天井と大空間領域10の上階の床との間隔が比較的大きくなり、住宅の高さ方向の無駄な空間が比較的大きくなる。このため、本実施の形態では、第１梁101及び第２梁102の下面より上方、かつ、各第３梁の下面より下方に、大空間領域10の天井を設けている。これにより、大空間領域10の天井と大空間領域10の上階の床との間隔を比較的小さくし、住宅の高さ方向の無駄な空間を比較的小さくしている。
【００７４】
特に、本実施の形態では、第１梁101及び第２梁102を、通常梁が設けられる位置から、第１梁101及び第２梁102の高さの分だけ下げた位置に設け、かつ、大空間領域10の天井を、第１梁101及び第２梁102の下面より上方、かつ、各第３梁の下面より下方に設けている。このため、大空間領域10の上階の床の高さを、通常の高さにし、住宅全体の高さを、所定の範囲内に収めつつ、大空間領域10の天井の高さを、十分に確保している。
また、本実施の形態では、大空間領域10の天井を、第１梁101及び第２梁102の下面より上方に設けているため、第１梁101及び第２梁102が、下がり壁になるものの、第１梁101及び第２梁102が、大空間領域10の端縁に沿っている上に、第１梁101の下には、耐力壁110などがあるので、住人に違和感を感じさせない。
【００７５】
また、本実施の形態では、隣接領域20内に浴室23や洗面室22などの水まわりを設け、Ｙ軸方向に沿った耐力壁110を、水まわりの周囲の壁とすると、隣接領域20内では間取りの変更が難しくなるものの、水まわりの位置を変更することは一般的には少ないので、リフォームの際に不便が生じない。
また、本実施の形態では、大柱60は、側面同士を組み合わせた第１柱部材61と、第２柱部材62とを備え、また、第１柱部材61の側面には、第１横方向切欠部63が設けられ、また、第２柱部材62の側面には、第２横方向切欠部64が設けられ、また、第１柱部材61と第２柱部材62とを組み合わせると、第１横方向切欠部63と第２横方向切欠部64とから、貫通孔65が形成され、第１梁101は、貫通孔65に通されて、大柱60に支持され、第５梁としての第５梁Ｅ105e及び第５梁Ｇ105gの大柱60側の側面には、縦方向切欠部106が設けられ、各縦方向切欠部106は、それぞれ、大柱60と嵌合している。このため、第１梁101や第５梁に断面欠損が生じないので、第１梁101や第５梁の高さを必要以上に高くしなくて済む。
【００７６】
また、本実施の形態では、耐力壁110は、水平軸組材と鉛直軸組材とで形成される四角形状の枠材と、枠材に張り付けられた構造用面材とを備え、構造用面材が鉛直軸組材よりも外側に迫り出さないように、鉛直軸組材の表面を凹ました凹み部が設けられ、この凹み部に構造用面材の端縁部分が配置された状態で構造用面材が鉛直軸組材に張り付けられ、水平軸組材のうち、床側に配置された床側水平軸組材の上面と構造用面材の下端面との間に、床面材190が配置可能な隙間150が設けられている。このため、耐力壁110に接するように床を形成する際に、土台85の上面に、床面材190の端縁部分を載置でき、床面材190を支持するための床受部材が不要となり、土台85の側面に床受部材を固着する作業も行う必要がなくなり、床の構築作業を容易にすることができる。
【００７７】
また、本実施の形態では、構造用面材が枠材の外側に迫り出さないようにようにしているので、耐力壁110と準耐力壁120や非耐力壁130とを連続して配列して内壁や外壁を構成する場合、表面位置の調整を行う調整材を準耐力壁120や非耐力壁130の枠材に取り付けなくとも、耐力壁110の枠材に張り付けられた外壁仕上面材170又は内壁下地面材160の表面と、準耐力壁120や非耐力壁130の枠材に張り付けられた外壁仕上面材170又は内壁下地面材160の表面とが、互いに同一面を形成する。このため、調整材を用いて準耐力壁120や非耐力壁130の外壁仕上面材170又は内壁下地面材160の表面位置を耐力壁110に揃える必要がなくなり、外壁や内壁の構築作業を容易にすることができる。
【００７８】
また、本実施の形態では、外壁を構成する耐力壁110は、構造用合板140と内壁下地面材160との間に設けた合成樹脂製シートで、屋内と屋外との高気密性を確保している。そして、合成樹脂製シートを構造用合板140と内壁下地面材160との間に設けることにより、外壁の内部における構造用合板140よりも屋外側は、外気と換気が可能となっている。更に、外壁を構成する耐力壁110においては、枠材の屋内側を構造用合板140で塞ぎ、枠材の屋外側を開口させたので、耐力壁110の内部の湿気を外部へ速やかに逃がすことができる。このため、屋内と屋外との温度差により、耐力壁110の内部に結露が生じても、結露による湿気が速やかに屋外へ排出され、耐力壁110の内部の湿度が常に低い状態に保たれ、屋内へ湿気が進入することを未然に防止できる。
【図面の簡単な説明】
【００７９】
【図１】本実施の形態に係る住宅の１階の平面間取り図。
【図２】本実施の形態に係る住宅の１階の柱・壁の伏せ図。
【図３】本実施の形態に係る住宅の１階の天井（２階の床）の梁の伏せ図
【図４】本実施の形態に係る住宅の２階の平面間取り図。
【図５】本実施の形態に係る大柱と第１梁と第５梁との軸組構造を示す分解斜視図。
【図６】本実施の形態に係る大柱と第１梁と第５梁との軸組構造を示す一部分解斜視図。
【図７】本実施の形態に係る大柱と第１梁と第５梁との軸組構造を示す斜視図。
【図８】本実施の形態に係る大柱と第１梁と第５梁との軸組構造を示す側面図。
【図９】本実施の形態に係る大柱と第１梁と第５梁との軸組構造を示す平面図。
【図１０】本実施の形態に係る耐力壁を示す正面図。
【図１１】本実施の形態に係る耐力壁の要部を示す断面拡大図。
【図１２】本実施の形態に係る耐力壁を住宅の内壁として用いた場合を示す断面図。
【図１３】本実施の形態に係る耐力壁を住宅の内壁として用いた場合の床面近傍を示す断面図。
【図１４】本実施の形態に係る耐力壁を住宅の外壁として用いた場合を示す断面図。
【図１５】本実施の形態に係る耐力壁を住宅の外壁として用いた場合の床面近傍を示す断面図。
【符号の説明】
【００８０】
10  大空間領域                    11  ＬＤＫ
12  キッチン                      13  階段
14  トイレ                        20  隣接領域
21  玄関                          22  洗面室
23  浴室                          25  ホール
26  主寝室                        27  納戸
30  第１端縁                      40  第２端縁
50  柱                            60  大柱
61  第１柱部材                    62  第２柱部材
63  第１横方向切欠部              64  第２横方向切欠部
65  貫通孔                        66  第１嵌合穴
67  第２嵌合穴                    70  段付部
80  基礎                          85  土台
101  第１梁                       102  第２梁
103a  第３梁Ａ                    103b  第３梁Ｂ
103c  第３梁Ｃ                    103d  第３梁Ｄ
103e  第３梁Ｅ                    103f  第３梁Ｆ
103g  第３梁Ｇ                     104  第４梁
105a  第５梁Ａ                    105b  第５梁Ｂ
105c  第５梁Ｃ                    105d  第５梁Ｄ
105e  第５梁Ｅ                    105f  第５梁Ｆ
105g  第５梁Ｇ                    105h  第５梁Ｈ
105i  第５梁Ｉ                    105j  第５梁Ｊ
105k  第５梁Ｋ                     106  縦方向切欠部
110  耐力壁                       111  ホールダウン金物
112  アンカーボルト
114  釘                           120  準耐力壁
130  非耐力壁                     140  構造用合板
150  隙間                         160  内壁下地面材
170  外壁仕上面材                 180  断熱材
190  床面材                       191  逃げ部
【図１】
2005307515.tif 000003
【図２】
2005307515.tif 000004
【図３】
2005307515.tif 000005
【図４】
2005307515.tif 000006
【図５】
2005307515.tif 000007
【図６】
2005307515.tif 000008
【図７】
2005307515.tif 000009
【図８】
2005307515.tif 000010
【図９】
2005307515.tif 000011
【図１０】
2005307515.tif 000012
【図１１】
2005307515.tif 000013
【図１２】
2005307515.tif 000014
【図１３】
2005307515.tif 000015
【図１４】
2005307515.tif 000016
【図１５】
2005307515.tif 000017